(57)【特許請求の範囲】
【請求項１】
携帯端末であって、
第１及び第２の入力領域を含む検索ボックスを表示し、前記第１及び第２の入力領域のうち少なくとも一つを通して複数の相異なるタイプのジェスチャ入力のうち一つのジェスチャ入力を受信する構成を有する表示部と、
前記複数の相異なるタイプのジェスチャ入力のうち第１のタイプのジェスチャ入力に対する応答で、複数の検索機能のうち第１の機能を判断し、
前記判断された第１の機能を実行し、
前記複数の相異なるタイプのジェスチャ入力のうち第２のタイプのジェスチャ入力に対する応答で、前記複数の検索機能のうち第２の機能を判断し、
前記判断された第２の機能を実行する構成を有する制御部と、を有し、
前記第１の機能は、キーワード検索結果をコンテンツプロバイダ別に表示する機能であり、
前記第２の機能は、キーワード検索結果をカテゴリー別に表示する機能であることを特徴とする携帯端末。
【請求項２】
前記複数の相異なるタイプのジェスチャ入力は、タップ入力、タップアンドホールド入力、スワイプダウン入力、マルチスワイプダウン入力、ドラッグ入力の内の少なくとも一つを含み、前記第１のタイプのジェスチャ入力と前記第２のタイプのジェスチャ入力は相異なることを特徴とする請求項１に記載の携帯端末。
【請求項３】
前記制御部は、前記タップ入力に従って、前記検索ボックスに検索キーワード入力のためのカーソルを表示し、検索キーワードを受信するよう制御することと、
前記スワイプダウン入力に従って、検索履歴画面を表示し、検索履歴画面で検索キーワードを選択するよう制御することと、
前記マルチスワイプダウン入力に従って、最近の検索キーワードを選択するよう制御することと、
前記ドラッグ入力に従って、複数の最近の検索キーワードを選択することと、の内の少なくとも一つを実行するよう構成されることを特徴とする請求項２に記載の携帯端末。
【請求項４】
前記制御部は、前記複数の相異なるタイプのジェスチャ入力のうち第３のタイプのジェスチャ入力に従って検索エンジン選択画面を表示し、少なくとも一つ以上の選択された検索エンジンを保存するよう制御する構成を有することを特徴とする請求項１に記載の携帯端末。
【請求項５】
携帯端末のユーザインターフェース方法であって、
第１及び第２の入力領域を含み、キーワードが入力される検索ボックスを表示する段階と、
前記検索ボックス内の前記第１及び第２の入力領域のうち少なくとも一つを通して複数の相異なるタイプのジェスチャ入力の内の一つのジェスチャ入力を受信する段階と、
前記複数の相異なるタイプのジェスチャ入力のうち第１のタイプのジェスチャ入力に対する応答で、複数の検索機能のうち第１の機能を判断する段階と、
前記判断された第１の機能を実行する段階と、
前記複数の相異なるタイプのジェスチャ入力のうち第２のタイプのジェスチャ入力に対する応答で、前記複数の検索機能のうち第２の機能を判断し、
前記判断された第２の機能を実行する段階と、を有し、
前記第１の機能は、キーワード検索結果をコンテンツプロバイダ別に表示する機能であり、
前記第２の機能は、キーワード検索結果をカテゴリー別に表示する機能であることを特徴とする携帯端末のユーザインターフェース方法。
【請求項６】
前記複数の相異なるタイプのジェスチャ入力は、タップ入力、タップアンドホールド入力、スワイプダウン入力、マルチスワイプダウン入力、ドラッグ入力の内の少なくとも一つを含み、前記第１のタイプのジェスチャ入力と前記第２のタイプのジェスチャ入力は相異なることを特徴とする請求項５に記載の携帯端末のユーザインターフェース方法。
【請求項７】
前記タップ入力に応答して、前記検索ボックスに検索キーワード入力のためのカーソルを表示し、検索キーワードの入力を受ける段階と、
前記スワイプダウン入力に応答して、検索履歴画面を表示し、前記検索履歴画面で検索キーワードの選択を受ける段階と、
前記マルチスワイプダウン入力に応答して、最近の検索キーワードを選択する段階と、
前記ドラッグ入力に応答して、複数の最近の検索キーワードを選択する段階と、の内の少なくとも一つの段階を含むことを特徴とする請求項６に記載の携帯端末のユーザインターフェース方法。
【請求項８】
第３のタイプのジェスチャ入力に従って検索エンジン選択画面を表示する段階と、
少なくとも一つ以上の選択された検索エンジンを保存する段階をさらに含むことを特徴とする請求項７に記載の携帯端末のユーザインターフェース方法。
【発明の詳細な説明】
【技術分野】
【０００１】
本開示は、携帯端末及び携帯端末のユーザインターフェース方法に関する。
【背景技術】
【０００２】
近年、通信技術の急速な発展により、携帯端末における機能が順次に拡大されるにつれ、多様なユーザインターフェース及びこれを利用した機能が提供されている。
このような携帯端末は、例えばキーボード、キーパッド、マウスなどのような別途の構成を利用して情報を入力する伝統的なＵＩ（Ｕｓｅｒ  Ｉｎｔｅｒｆａｃｅ）方式から、指やタッチ用電子ペンなどを利用して画面を直接にタッチするか、または、音声を利用して情報を入力する直観的ＵＩ方式に徐々に進化している。
【０００３】
例えば、代表的なユーザの携帯端末であるスマートフォンは、多様なアプリケーション（または機能、以下‘機能’と称する）を有し、このような機能を実行させて利用するようにしているが、このような携帯端末における機能利用のための直観的ＵＩが通例的に採用されている。
（上記した情報は、単に本開示の理解のための背景情報として開示される。上記のどのような内容が本開示と関連した従来技術として適用できるかにたいしてある判定及び主張もなさるべきではない。）
【０００４】
しかしながら、例えば、携帯端末における検索機能は、ユーザから検索のための入力値を受信して検索を実行し、検索結果を提供する。
この時、従来はこのような検索機能のＵＩはユーザが単純に一つの入力領域に、一つの入力タイプで、検索しようとするキーワードだけを入力できたため不便であった。
また、検索機能のＵＩは検索結果を提供する際に多様な画面タイプで提供できないためユーザが不便であった。
【発明の概要】
【発明が解決しようとする課題】
【０００５】
本開示の目的は、少なくとも上記した問題点及び／又は短所を解消し、少なくとも後述するような長所を提供することにある。
したがって、本開示の一様態は、携帯端末の機能が多様であるため各機能によって各機能に必要な適合したＵＩを提供する。
本開示の他の目的は、携帯端末で検索機能を利用する際に、ユーザが複数の入力領域に多様な入力タイプで入力できる携帯端末及び携帯端末におけるユーザインターフェース方法を提供することにある。
また、本開示の他の目的は、携帯端末で検索機能を利用する際に、単純にキーワードだけを入力することでなく、検索に必要な各種情報を多様な入力タイプで入力できる携帯端末におけるユーザインターフェース方法を提供することにある。
また、本開示の他の目的は、携帯端末で検索機能を利用する際に、検索結果を多様な方式で提供できる携帯端末及び携帯端末におけるユーザインターフェース方法を提供することにある。
【課題を解決するための手段】
【０００６】
本開示の一態様によれば、携帯端末であって、第１及び第２の入力領域を含む検索ボックスを表示し、前記第１及び第２の入力領域のうち少なくとも一つを通して複数の相異なるタイプのジェスチャ入力のうち一つのジェスチャ入力を受信する構成を有する表示部と、前記複数の相異なるタイプのジェスチャ入力のうち第１のタイプのジェスチャ入力に対する応答で、複数の検索機能のうち第１の機能を判断し、前記判断された第１の機能を実行し、前記複数の相異なるタイプのジェスチャ入力のうち第２のタイプのジェスチャ入力に対する応答で、前記複数の検索機能のうち第２の機能を判断し、前記判断された第２の機能を実行する構成を有する制御部と、を有し、前記第１の機能は、キーワード検索結果をコンテンツプロバイダ別に表示する機能であり、前記第２の機能は、キーワード検索結果をカテゴリー別に表示する機能であることを特徴とする。
【０００７】
本開示の他の一態様によれば、携帯端末におけるユーザインターフェース方法は、携帯端末のユーザインターフェース方法であって、第１及び第２の入力領域を含み、キーワードが入力される検索ボックスを表示する段階と、前記検索ボックス内の前記第１及び第２の入力領域のうち少なくとも一つを通して複数の相異なるタイプのジェスチャ入力の内の一つのジェスチャ入力を受信する段階と、前記複数の相異なるタイプのジェスチャ入力のうち第１のジェスチャ入力に対する応答で、複数の検索機能のうち第１の機能を判断する段階と、前記判断された第１の機能を実行する段階と、前記複数の相異なるタイプのジェスチャ入力のうち第２のタイプのジェスチャ入力に対する応答で、前記複数の検索機能のうち第２の機能を判断し、前記判断された第２の機能を実行する段階と、を有し、前記第１の機能は、キーワード検索結果をコンテンツプロバイダ別に表示する機能であり、前記第２の機能は、キーワード検索結果をカテゴリー別に表示する機能であることを特徴とする。
【０００８】
本開示のまた他の一態様によれば、ユーザインターフェースプログラムを保存する持続的コンピュータ読み取り可能な記録媒体は、実行時に、少なくとも一つのプロセッサが上記したユーザインターフェース方法を実行する。
本開示の多様な実施形態によれば、ユーザが携帯端末で多様な入力方式で検索機能を実行でき、検索機能の実行結果を多様な画面を通して受信できるため便利である。
【発明の効果】
【０００９】
本開示の多様な実施形態によれば、携帯端末で検索機能を利用する際にユーザが複数の入力領域に多様な入力タイプで入力できる。
また、本開示の多様な実施形態によれば、携帯端末で検索機能を利用する際に単純にキーワードだけを入力することでなく検索に必要な各種情報を多様な入力タイプで入力できる。
さらに、本開示の多様な実施形態によれば、携帯端末で検索機能を利用する際に検索結果を多様な方式で提供できる。
本発明の他の目的、効果、及び顕著な特徴は、添付図面が併用される本発明の実施形態を開示する後述の詳細な説明から、当業者にとって一層明らかになる。
【図面の簡単な説明】
【００１０】
【図１】本開示の実施形態による携帯端末のブロック構成図である。
【図２ａ】本開示の実施形態による携帯端末の前面斜視図である。
【図２ｂ】本開示の実施形態による携帯端末の後面斜視図である。
【図３】本開示の実施形態による携帯端末における検索ボックスを示す図であり、（ａ）は検索ボックスを一つの入力領域とするものであり、（ｂ）は検索ボックスに二つの入力領域を有するものである。
【図４】本開示の実施形態による携帯端末における複数のタイプのユーザ入力を示す図である。
【図５】本開示の実施形態による携帯端末における検索結果の表示画面を示す図であり、（ａ）は検索結果をコンテンツプロバイダ別に区分して表示するものであり、（ｂ）は検索結果をカテゴリー別に区分して表示するものである。
【図６】本開示の第１の実施形態による携帯端末における検索機能の実行動作を説明するためのフローチャートである。
【図７】本開示の第１の実施形態による携帯端末における検索機能の実行動作時の画面の一例を示す図である。
【図８】本開示の第２の実施形態による携帯端末における検索機能の実行動作を説明するためのフローチャートである。
【図９】本開示の第２の実施形態による携帯端末における検索機能の実行動作時の画面の一例を示す図である。
【図１０】本開示の第３の実施形態による携帯端末における検索機能の実行動作を説明するためのフローチャートである。
【図１１】本開示の第３の実施形態による携帯端末における検索機能の実行動作時の画面の一例を示す図である。
【図１２】本開示の第４の実施形態による携帯端末における検索機能の実行動作を説明するためのフローチャートである。
【図１３】本開示の第４の実施形態による携帯端末における検索機能の実行動作時の画面の一例を示す図である。
【図１４】本開示の第５の実施形態による携帯端末における検索機能の実行動作を説明するためのフローチャートである。
【図１５】本開示の第５の実施形態による携帯端末における検索機能の実行動作時の画面の一例を示す図である。
【発明を実施するための形態】
【００１１】
添付の図面を参照した下記の説明は、特許請求の範囲の記載及びこれと均等なものの範囲内で定められるような本発明の実施形態の包括的な理解を助けるために提供するものであり、この理解を助けるために様々な特定の詳細を含むが、唯一つの実施形態に過ぎない。
従って、本発明の範囲及び趣旨を逸脱することなく、ここに説明する実施形態の様々な変更及び修正が可能あるということは、当該技術分野における通常の知識を有する者には明らかである。また、明瞭性と簡潔性の観点から、当業者に良く知られている機能や構成に関する具体的な説明は、省略する。
【００１２】
次の説明及び請求項に使用する用語及び単語は、辞典的意味に限定されるものではなく、発明者により本発明の理解を明確且つ一貫性があるようにするために使用する。
従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００１３】
英文明細書に記載の“ａ”、“ａｎ”、及び“ｔｈｅ”、すなわち単数形は、コンテキスト中に特記で明示されない限り、複数形を含むことは、当業者にはわかることである。したがって、例えば、“コンポーネント表面（ａ  ｃｏｍｐｏｎｅｎｔ  ｓｕｒｆａｃｅ）”との記載は、１つ又は複数の表面を含む。
本開示の多様な実施形態は、機能またはアプリケーション実行が可能であり、画面を表示する電子装置であれば、どのような装置とも適用されることができる。例えば、携帯電話、スマートフォン、タブレットＰＣなどのような携帯端末でもよく、ＰＣ、モニターなどのような固定端末でも可能である。
【００１４】
本開示の多様な実施形態では携帯端末の場合を例に挙げて説明する。
図１は、本開示の実施形態による携帯端末のブロック構成図である。
図１を参照すると、携帯端末１００は、移動通信モジュール１２０、サブ通信モジュール１３０、及びコネクタ１６５を利用して、外部装置（図示せず）と接続することができる。
“外部装置”は、他の装置（図示せず）、携帯電話（図示せず）、スマートフォン（図示せず）、タブレットＰＣ（図示せず）及びサーバ（図示せず）を含む。
【００１５】
図１を参照すると、携帯端末１００は、タッチスクリーン１９０及びタッチスクリーンコントローラ１９５を含む。
また、携帯端末１００は、制御部１１０、移動通信モジュール１２０、サブ通信モジュール１３０、マルチメディアモジュール１４０、カメラモジュール１５０、ＧＰＳモジュール１５５、入出力モジュール１６０、センサモジュール１７０、ストレージモジュール１７５、及び電源供給モジュール１８０を含む。
【００１６】
サブ通信モジュール１３０は、無線ＬＡＮモジュール１３１及び近距離通信モジュール１３２のうち少なくとも一つを含み、マルチメディアモジュール１４０は、放送通信モジュール１４１、オーディオ再生モジュール１４２及び動画像再生モジュール１４３のうち少なくとも一つを含む。
カメラモジュール１５０は、第１のカメラ１５１及び第２のカメラ１５２のうち少なくとも一つを含み、入出力モジュール１６０は、ボタン１６１、マイク１６２、スピーカ１６３、振動モーター１６４、コネクタ１６５、キーパッド１６６、イヤホン接続ジャック１６７、及び入力ユニット１６８のうち少なくとも一つを含む。
【００１７】
制御部１１０は、ＣＰＵ１１１、携帯端末１００の制御のための制御プログラムが保存されたＲＯＭ１１２、及び携帯端末１００の外部から入力される信号又はデータを記憶するか、携帯端末１００で実行されるタスクのための記憶領域として使われるＲＡＭ１１３を含むことができる。
ＣＰＵ１１１は、シングルコア、デュアルコア、トリプルコア、又はクアッドコアを含むことができる。
ＣＰＵ１１１、ＲＯＭ１１２及びラム１１３は、内部バス（ｂｕｓ）を介して相互接続することができる。
【００１８】
制御部１１０は、移動通信モジュール１２０、サブ通信モジュール１３０、マルチメディアモジュール１４０、カメラモジュール１５０、ＧＰＳモジュール１５５、入出力モジュール１６０、センサモジュール１７０、ストレージモジュール１７５、電源供給モジュール１８０、タッチスクリーン１９０、及びタッチスクリーンコントローラ１９５を制御することができる。
すなわち、制御部１１０は、携帯端末１００に対する全般的な制御機能を実行し、各構成部の間の信号流れを制御する。
特に、制御部１１０は、本開示の実施形態によって複数のタイプの入力の各々によって所定の機能を実行する。
例えば、制御部１１０は、検索ボックスで複数のタイプの入力の各々によって所定の検索機能を実行することができる。
また、制御部１１０は検索結果を多様な検索結果画面に表示するように制御する。
【００１９】
移動通信モジュール１２０は、制御部１１０の制御によって少なくとも一つ（一つまたは複数）のアンテナ（図示せず）を用いて移動通信を通して携帯端末１００が外部装置と接続するようにする。
移動通信モジュール１２０は、携帯端末１００に入力される電話番号を有する携帯電話（図示せず）、スマートフォン（図示せず）、タブレットＰＣ又は他の装置（図示せず）と音声通話、画像通話、ショートメッセージサービス（ＳＭＳ）、マルチメディアメッセージサービス（ＭＭＳ）のための無線信号を送受信する。
【００２０】
サブ通信モジュール１３０は、無線ＬＡＮモジュール１３１と近距離通信モジュール１３２のうち少なくとも一つを含むことができる。
例えば、無線ＬＡＮモジュール１３１だけを含むか、近距離通信モジュール１３２だけを含むか、または無線ＬＡＮモジュール１３１と近距離通信モジュール１３２の両方を含むことができる。
無線ＬＡＮモジュール１３１は、制御部１１０の制御によって無線アクセスポイント（Ａｃｃｅｓｓ  Ｐｏｉｎｔ：ＡＰ）（図示せず）が設置された場所でインターネットに接続することができる。
無線ＬＡＮモジュール１３１は、米国電機電子学会（ＩＥＥＥ）の無線ＬＡＮ規格（ＩＥＥＥ８０２．１１ｘ）をサポートする。
【００２１】
近距離通信モジュール１３２は、制御部１１０の制御によって携帯端末１００と画像形成装置（図示せず）との間に無線で近距離通信をすることができる。
近距離通信方式には、ブルートゥース（ｂｌｕｅｔｏｏｔｈ（登録商標））、赤外線通信（ｉｎｆｒａｒｅｄ  ｄａｔａ  ａｓｓｏｃｉａｔｉｏｎ：ＩｒＤＡ）などを含むことができる。
携帯端末１００は、性能に従って移動通信モジュール１２０、無線ＬＡＮモジュール１３１、及び近距離通信モジュール１３２のうち少なくとも一つを含むことができる。
例えば、携帯端末１００は、性能に従って移動通信モジュール１２０、無線ＬＡＮモジュール１３１、及び近距離通信モジュール１３２の組み合わせを含むことができる。
【００２２】
マルチメディアモジュール１４０は、放送通信モジュール１４１、オーディオ再生モジュール１４２、及び動画像再生モジュール１４３を含むことができる。
放送通信モジュール１４１は、制御部１１０の制御によって放送通信アンテナ（図示せず）を通して放送局から送出される放送信号（例えば、ＴＶ放送信号、ラジオ放送信号又はデータ放送信号）及び放送付加情報（例、ＥＰＧ（Ｅｌｅｃｔｒｉｃ  Ｐｒｏｇｒａｍ  Ｇｕｉｄｅ）又はＥＳＧ（Ｅｌｅｃｔｒｉｃ  Ｓｅｒｖｉｃｅ  Ｇｕｉｄｅ））を受信することができる。
【００２３】
オーディオ再生モジュール１４２は、制御部１１０の制御によって保存されるか、または受信されるデジタルオーディオファイル（例えば、ファイル拡張子がｍｐ３、ｗｍａ、ｏｇｇ、又はｗａｖであるファイル）を再生することができる。
動画像再生モジュール１４３は、制御部１１０の制御によって保存されるか、または受信されるデジタル動画像ファイル（例えば、ファイル拡張子がｍｐｅｇ、ｍｐｇ、ｍｐ４、ａｖｉ、ｍｏｖ、又はｍｋｖなどであるファイル）を再生することができる。
動画像再生モジュール１４３は、デジタルオーディオファイルを再生することができる。
マルチメディアモジュール１４０は、放送通信モジュール１４１を除き、オーディオ再生モジュール１４２と動画像再生モジュール１４３を含むこともできる。また、マルチメディアモジュール１４０のオーディオ再生モジュール１４２、又は動画像再生モジュール１４３は、制御部１１０に含ませることもできる。
【００２４】
カメラモジュール１５０は、制御部１１０の制御によって静止画像（ｓｔｉｌｌ  ｉｍａｇｅ）又は動映像を撮影する第１のカメラ１５１及び第２のカメラ１５２のうち少なくとも一つを含むことができる。
また、第１のカメラ１５１又は第２のカメラ１５２は、撮影に必要な光量を提供する補助光源（例、フラッシュ（図示せず））を含むことができる。
第１のカメラ１５１は、携帯端末１００の前面に配置され、第２のカメラ１５２は、携帯端末１００の後面に配置することができる。
このようなカメラ配置とは異なり、第１のカメラ１５１と第２のカメラ１５２は、隣接（例えば、第１のカメラ１５１と第２のカメラ１５２との間隔が１ｃｍより大きく、８ｃｍよりは小さな）するように配置され、３次元静止画像または３次元動画像を撮影することができる。
【００２５】
ＧＰＳモジュール１５５は、地球軌道上にある複数のＧＰＳ衛星（図示せず）から電波を受信し、ＧＰＳ衛星から携帯端末１００まで電波到達時間（ＴｏＡ：Ｔｉｍｅ  ｏｆ  Ａｒｒｉｖａｌ）を用いて携帯端末１００の位置を算出することができる。
入出力モジュール１６０は、複数のボタン１６１、マイク１６２、スピーカ１６３、振動モーター１６４、コネクタ１６５、及びキーパッド１６６、イヤホン接続ジャック１６７、入力ユニット１６８のうち少なくとも一つを含むことができる。
【００２６】
ボタン１６１は、携帯端末１００のハウジングの前面、側面又は後面に形成することができ、電源ボタン（図示せず）、ロックボタン（図示せず）、ボリュームボタン（図示せず）、メニューボタン、ホームボタン、戻るボタン（ｂａｃｋ  ｂｕｔｔｏｎ）、及び検索ボタン１６１のうち少なくとも一つを含むことができる。
マイク１６２は、制御部１１０の制御によって音声（ｖｏｉｃｅ）又はサウンド（ｓｏｕｎｄ）を受信して電気的な信号を生成する。
スピーカ１６３は、制御部１１０の制御によって移動通信モジュール１２０、サブ通信モジュール１３０、マルチメディアモジュール１４０、又はカメラモジュール１５０の多様な信号（例えば、無線信号、放送信号、デジタルオーディオファイル、デジタル動画像ファイル又は写真撮影等）に対応するサウンドを携帯端末１００の外部に出力することができる。
スピーカ１６３は、携帯端末１００が実行する機能に対応するサウンド（例えば、電話通話に対応する音、又は通話接続音）を出力することができる。
スピーカ１６３は、携帯端末１００のハウジングの適切な位置又は複数の位置に一つ又は複数で形成することもできる。
【００２７】
振動モーター１６４は、制御部１１０の制御によって電気的な信号を機械的な振動に変換することができる。
例えば、振動モードにある携帯端末１００は、他の装置（図示せず）から音声通話が受信される場合、振動モーター１６４が作動する。
振動モーター１６４は、携帯端末１００のハウジング内に一つ又は複数で形成することができる。
振動モーター１６４は、タッチスクリーン１９０上をタッチするユーザのタッチ動作及びタッチスクリーン１９０上でのタッチの連続的な動きに応答して作動することもできる。
【００２８】
コネクタ１６５は、携帯端末１００と外部装置（図示せず）、又は電源ソース（図示せず）を接続するためのインターフェースとして利用することができる。
携帯端末１００は、制御部１１０の制御によってコネクタ１６５に接続した有線ケーブルを介して携帯端末１００のストレージモジュール１７５に保存されたデータを外部装置（図示せず）に伝送するか、又は外部装置からデータを受信することができる。
また、携帯端末１００は、コネクタ１６５に接続した有線ケーブルを介して電源ソースから電源を受信するか、バッテリー（図示せず）を充電することができる。
【００２９】
キーパッド１６６は、携帯端末１００の制御のためにユーザからのキー入力を受信することができる。
キーパッド１６６は、携帯端末１００に形成される物理的なキーパッド（図示せず）、又はタッチスクリーン１９０に表示される仮想のキーパッド（図示せず）を含む。
携帯端末１００に形成される物理的なキーパッドは、携帯端末１００の性能又は構造によって削除することもできる。
イヤホン接続ジャック１６７にはイヤホン（図示せず）が挿入されて携帯端末１００に接続することができ、入力ユニット１６８はスタイラスペンなどであり得て、携帯端末１００内部に挿入されて保管され、使用時には携帯端末１００から引き出し又は脱着することができる。
【００３０】
センサモジュール１７０は、携帯端末１００の状態を検出する少なくとも一つのセンサを含む。
例えば、センサモジュール１７０は、ユーザの携帯端末１００に対し近接したか否かを検出する近接センサ、携帯端末１００周辺の光量を検出する照度センサ（図示せず）、又は携帯端末１００のモーション（例えば、携帯端末１００の回転、携帯端末１００に印加される加速度又は振動等）を検出するモーションセンサ（図示せず）を含むことができる。
少なくとも一つのセンサは、状態を検出し、検出に対応する信号を生成して制御部１１０に伝送することができる。
センサモジュール１７０のセンサは、携帯端末１００の性能に従って追加又は削除することができる。
【００３１】
ストレージモジュール１７５は、制御部１１０の制御によって移動通信モジュール１２０、サブ通信モジュール１３０、マルチメディアモジュール１４０、カメラモジュール１５０、ＧＰＳモジュール１５５、入出力モジュール１６０、センサモジュール１７０、タッチスクリーン１９０の動作に対応するように入出力される信号又はデータを保存することができる。
ストレージモジュール１７５は、携帯端末１００又は制御部１１０の制御のための制御プログラム及びアプリケーションを保存することができる。
特に、ストレージモジュール１７５は、本開示の実施形態によって携帯端末１００で提供されるユーザインターフェースに関する情報などを含むことができる。
このようなユーザインターフェース（ＵＩ）に関する情報は、少なくとも一つ以上の入力タイプ、少なくとも一つ以上の入力タイプの各々による入力などを含む。
【００３２】
“ストレージモジュール”という用語は、ストレージモジュール１７５、制御部１１０内のＲＯＭ１１２、ＲＡＭ１１３、又は携帯端末１００に装着されるメモリカード（図示せず）（例えば、ＳＤカード、メモリスティック（登録商標））を含む。
ストレージモジュール１７５は、不揮発性メモリ、揮発性メモリ、ハードディスクドライブ（ＨＤＤ）、又はソリッドステートドライブ（ＳＤＤ）を含むことができる。
【００３３】
電源供給モジュール１８０は、制御部１１０の制御によって携帯端末１００のハウジングに配置される一つ又は複数のバッテリー（図示せず）に電源を供給することができる。
一つ又は複数のバッテリー（図示せず）は、携帯端末１００に電源を供給することができる。
また、電源供給モジュール１８０は、コネクタ１６５と接続した有線ケーブルを介して外部の電源ソース（図示せず）から入力される電源を携帯端末１００に供給することができる。
【００３４】
タッチスクリーン１９０は、ユーザに多様なサービス（例えば、通話、データ伝送、放送、写真撮影）に対応するユーザインターフェースを提供することができる。
タッチスクリーン１９０は、ユーザインターフェースに入力される少なくとも一つ以上のタッチに対応するアナログ信号をタッチスクリーンコントローラ１９５に伝送することができる。
タッチスクリーン１９０は、ユーザの身体（例、親指を含む指）又はタッチ可能な入力手段（例、スタイラスペン）を通して少なくとも一つ以上のタッチを受信することができる。
また、タッチスクリーン１９０は、少なくとも一つ以上のタッチの中で、一つのタッチの連続的な動きを受信することができる。
タッチスクリーン１９０は、入力されるタッチの連続的な動きに対応するアナログ信号をタッチスクリーンコントローラ１９５に伝送することができる。
【００３５】
特に、本開示の実施形態によって、タッチスクリーン１９０は、制御部１１０の制御下にて検索機能に該当する検索画面を表示できる。
この際に、タッチスクリーン１９０は、検索画面に検索ボックス３０を表示できる。
タッチスクリーン１９０は、制御部１１０の制御下にて検索ボックス３０が表示された状態でユーザ入力があれば入力タイプを判定して該当タイプに関する情報を制御部１１０に伝達できる。
この際、ユーザ入力は複数のタイプに区分することができる。
本開示でタッチは、タッチスクリーン１９０とユーザの身体又はタッチ可能な入力手段との接触に限定されず、非接触（例、タッチスクリーン１９０とユーザの身体またはタッチ可能な入力手段と検出可能な間隔が１ｍｍ以下）を含むことができる。
タッチスクリーン１９０で検出可能な間隔は、携帯端末１００の性能又は構造によって変更され得る。
タッチスクリーン１９０は、例えば、抵抗膜方式、静電容量方式、赤外線方式、電磁気誘導方式（以下、ＥＭＲ方式と称する）または超音波など多様な方式で具現することができ、一つ以上の方式の組み合わせで具現することもできる。
【００３６】
タッチスクリーンコントローラ１９５は、タッチスクリーン１９０から受信したアナログ信号をデジタル信号（例えば、ＸＹ座標）に変換して制御部１１０に伝送する。
制御部１１０は、タッチスクリーンコントローラ１９５から受信したデジタル信号を用いてタッチスクリーン１９０を制御することができる。
例えば、制御部１１０は、タッチに応答してタッチスクリーン１９０に表示されたショートカットアイコン（図示せず）が選択されるようにするか、またはショートカットアイコンを実行することができる。
また、タッチスクリーンコントローラ１９５は、制御部１１０に含ませることもできる。
【００３７】
また、制御部１１０はタッチスクリーン１９０だけでなくカメラモジュール１５０、入出力モジュール１６０、及びセンサモジュール１７０などを介して受信される多様なユーザ入力を検出できる。
ユーザ入力は、上記タッチだけでなく、ユーザのジェスチャ、音声、瞳の動き、生体信号など、携帯端末１００内に入力される多様な形態の情報を含むことができる。
制御部１１０は、検出されたユーザ入力に対応する所定の動作又は機能が携帯端末１００内で実行されるように制御する。
【００３８】
図２ａは、本開示の一実施形態による携帯端末の前面斜視図であり、図２ｂは本開示の一実施形態による携帯端末の後面斜視図である。
図２ａ及び図２ｂを参照すると、携帯端末１００の前面１００ａの中央にはタッチスクリーン１９０が配置される。
タッチスクリーン１９０は、携帯端末１００の前面１００ａの大部分を占めるように大きく形成される。
図２ａでは、タッチスクリーン１９０にメインホーム画面が表示された例を示す。
メインホーム画面は、携帯端末１００の電源をつけた時にタッチスクリーン１９０上に表示される最初の画面である。
【００３９】
また、携帯端末１００が複数のページの相異なるホーム画面を有している場合、メインホーム画面は複数のページのホーム画面のうち、最初のホーム画面であり得る。
ホーム画面には頻繁に使われるアプリケーションを実行するためのショートカットアイコン（１９１−１、１９１−２、１９１−３）、メインメニュー切替アイコン（１９１−４）、時間、天気などを表示することができる。
メインメニュー切替アイコン（１９１−４）は、タッチスクリーン１９０上にメニュー画面を表示する。
また、タッチスクリーン１９０の上端には、バッテリー充電状態、受信信号の強さ、現在時刻のような携帯端末１００の状態を表示する状態バー（Ｓｔａｔｕｓ  Ｂａｒ）１９２が形成され得る。
【００４０】
タッチスクリーン１９０の下部には、ホームボタン１６１ａ、メニューボタン１６１ｂ、及び戻るボタン１６１ｃが形成される。
ホームボタン１６１ａは、タッチスクリーン１９０にメインホーム画面（ｍａｉｎ  Ｈｏｍｅ  ｓｃｒｅｅｎ）を表示する。
例えば、タッチスクリーン１９０にメインホーム画面と他のホーム画面（ａｎｙ  Ｈｏｍｅ  ｓｃｒｅｅｎ）又はメニュー画面が表示された状態で、ホームボタン１６１ａをタッチすると、タッチスクリーン１９０にメインホーム画面が表示される。
また、タッチスクリーン１９０上でアプリケーションが実行されている間に、ホームボタン１９１ａをタッチすると、タッチスクリーン１９０上には図２ａに示したメインホーム画面が表示される。
また、ホームボタン１６１ａは、タッチスクリーン１９０上に最近（ｒｅｃｅｎｔｌｙ）使われたアプリケーションを表示するようにするか、タスクマネジャー（Ｔａｓｋ  Ｍａｎａｇｅｒ）を表示するために使われ得る。
【００４１】
メニューボタン１６１ｂは、タッチスクリーン１９０上で用いることができる接続メニューを提供する。
接続メニューには、ウィジェット追加メニュー、背景画面変更メニュー、検索メニュー、編集メニュー、環境設定メニューなどを含むことができる。
戻るボタン１６１ｃは、現在実行されている画面の直前に実行された画面を表示するか、最も最近使われたアプリケーションを終了させることができる。
【００４２】
携帯端末１００の前面１００ａの縁部には、第１のカメラ１５１と照度センサ１７０ａ及び近接センサ１７０ｂを配置することができる。
携帯端末１００の前面１００ａには、スピーカを配置することもできる。
携帯端末１００の後面１００ｃには、第２のカメラ１５２、フラッシュ（ｆｌａｓｈ）１５３、他のスピーカ１６３を配置することができる。
【００４３】
携帯端末１００の側面１００ｂには、例えば電源ボタン１６０ｄ、ボリュームアップボタン１６１ｆ、ボリュームダウンボタン１６１ｇを含むボリュームボタン１６１ｅ、放送受信のための地上波ＤＭＢアンテナ１４１ａ、一つ又は複数のマイク１６２などが配置される。
ＤＭＢアンテナ１４１ａは、携帯端末１００に固定されるか、着脱可能に形成することもできる。
【００４４】
また、携帯端末１００の下端側面にはコネクタ１６５が形成される。
コネクタ１６５には、複数の電極が形成されており、外部装置と有線で接続することができる。
携帯端末１００の上端側面には、イヤホン接続ジャック１６７が形成される。
イヤホン接続ジャック１６７には、イヤホンが挿入され得る。
また、携帯端末１００の下端側面には入力ユニット１６８が形成することができる。
入力ユニット１６８は、携帯端末１００内部に挿入されて保管されることができ、使用時には携帯端末１００から引出し及び脱着することができる。入力ユニット１６８はスタイラスペンなどであり得る。
【００４５】
本開示の実施形態によれば、上記したように構成された携帯端末１００において、検索ボックス（例えば、図３（ａ）（ｂ）における検索ボックス３０）で少なくとも一つ以上の入力領域を有し、少なくとも一つ以上の入力領域で各々多様なタイプのユーザ入力を受信して検索を実行することができる。
この時、検索は、携帯端末１００内における検索、例えばウィジェット検索、音楽検索、アプリケーション検索などを含み、携帯端末１００外部におけるウェブ検索、音楽検索、アプリケーション検索などを含むことができる。検索は、また上記例の他にも多様な検索種類が可能である。
【００４６】
図３の（ａ）（ｂ）は、本開示の実施形態による携帯端末１００で検索ボックス３０を示す図であり、図４は、本開示の実施形態による携帯端末１００で複数のタイプのユーザ入力を示す図である。
まず、図３を参照すると、携帯端末１００は図３の（ａ）のように検索ボックス３０を一つの入力領域として複数のタイプのユーザ入力を受信することができる。
また、携帯端末１００は、図３の（ｂ）のように検索ボックス３０に二つの入力領域、例えば第１の入力領域３２及び第２の入力領域３４を有し、第１及び第２の入力領域３２、３４の各々で複数のタイプのユーザ入力を受信することができる。
携帯端末１００は、複数のタイプの入力のうち何れか一つのタイプの入力によって何れか一つのタイプの入力に対応して所定の機能を判断、決定し、所定の機能を実行できる。
【００４７】
図４を参照すると、複数のタイプのユーザ入力は、第１のタイプ入力〜第５のタイプ入力を含むことができる。
例えば、携帯端末１００は、検索ボックス３０に第１のタイプ入力（例えば、タップ４２）があれば検索キーワードを受信することができる。
携帯端末１００は、検索ボックス３０に第２のタイプ入力があると、選択可能な検索エンジンを表示し、検索を実行する検索エンジンの選択を受ける。
携帯端末１００は、第３のタイプ入力があると、最近検索した履歴を表示する。
携帯端末１００は、第４のタイプ入力があると、最近検索したキーワードに対する検索結果を表示する。
携帯端末１００は、第５のタイプ入力があると、最近検索したキーワードに対する検索結果を区分して表示する。
【００４８】
本開示の多様な実施形態によれば、第１のタイプ入力〜第５のタイプ入力は、各々タップ４２、タップアンドホールド４４、スワイプダウン４６、マルチスワイプダウン４８、ドラッグ４９のようなユーザジェスチャを含むことができる。
タップ４２は、画面を指一つ（又は入力ユニット１８５）で短くて軽くたたくユーザジェスチャであって“ｓｉｎｇｌｅ  ｔａｐ”、“ｄｏｕｂｌｅ  ｔａｐ”、“ｔｒｉｐｌｅ  ｔａｐ”、“ｑｕａｄｒｕｐｌｅ  ｔａｐ”の内のいずれか一つであり得る。
タップアンドホールド４４は、画面要素が現れるまで指（または入力ユニット１８５）を翳しているユーザジェスチャであり得る。タップアンドホールド４４は、タッチアンドホールド（ｔｏｕｃｈ＆ｈｏｌｄ）であり得る。
【００４９】
スワイプダウン４６は、指一つ（又は、入力ユニット１８５）を画面上にタッチした状態で真っ直ぐに下向に移動するユーザジェスチャであり得る。
マルチスワイプダウン４８は、２つの指（又は、入力ユニット１８５を画面上にタッチした状態で真っ直ぐに下向に移動するユーザジェスチャであり得る。
ドラッグ４９は、画面要素を移動させるか、又は、スクロールするユーザジェスチャであり得る。
一方、第１のタイプ入力〜第５のタイプ入力は、上述したユーザジェスチャ以外の他のジェスチャでもあり得る。
本開示の実施形態によれば、携帯端末１００は、複数のタイプのユーザ入力のうちどのようなタイプのユーザ入力が受信されるかによって検索機能を通した検索結果を多様な検索結果画面に表示できる。
【００５０】
図５の（ａ）（ｂ）は、本開示の実施形態による携帯端末１００で検索結果の表示画面を示す図である。
図５（ａ）（ｂ）を参照すると、携帯端末１００は上記複数のタイプのユーザ入力のうちどのようなタイプのユーザ入力が受信されるかによって検索結果を相異なる検索結果画面に表示できる。
例えば、携帯端末１００は、図５の（ａ）のように複数のタイプのユーザ入力のうち何れか一つのタイプのユーザ入力を利用してコーヒーを検索した場合、コーヒーに対する検索結果をコンテンツプロバイダ別に区分して表示できる。
また、携帯端末１００は、図５の（ｂ）のように複数のタイプのユーザ入力のうち何れか一つのタイプのユーザ入力を利用してコーヒーを検索した場合、コーヒーに対する検索結果をカテゴリー別に区分して表示できる。
以下、上記したような複数のタイプ入力の各々による携帯端末１００の動作を説明する。
【００５１】
図６は、本開示の第１の実施形態による携帯端末１００で検索機能の実行時のユーザインターフェース方法を説明するためのフローチャートであり、図７は、本開示の第１の実施形態による携帯端末１００における検索機能の実行時の画面の一例を示す図である。
【００５２】
図６及び図７を参照すると、携帯端末１００は、Ｓ６０２段階で第１のタイプ入力があるか否かを判定する。
例えば、携帯端末１００は、図７のように検索ボックス７０にタップ入力（符号７２）があったか否かを判断する。この時、検索ボックス７０が第１の領域と第２の領域の二つの領域に区分された場合、タップ入力（符号７２）は第１の領域及び第２の領域のうち何れか一つに入力する。
【００５３】
仮に、タップ入力（符号７２）がなされると、携帯端末１００は、Ｓ６０４段階で、検索キーワード入力のためのカーソルを表示する。
例えば携帯端末１００は、図７のように検索ボックス７０にキーワード入力のためのカーソル７４を表示し、ユーザからキーワードを受信することができる。
ユーザは、タッチスクリーン１９０に設けられたキーボード又は別途のキーボードを通してキーワードを受信することができる。
【００５４】
携帯端末１００は、Ｓ６０６段階で検索キーワードが入力されたか否かを判断する。
例えば、携帯端末１００は、図７のように検索ボックス７０に「コーヒー」のようなキーワードが入力されたか否かを判断する。
【００５５】
携帯端末１００は、検索キーワードが入力されると、Ｓ６０８段階で、複数の検索エンジンを利用して検索エンジン別にキーワードに対する検索を実行する。
この時、複数の検索エンジンはＹａｈｏｏ（登録商標）検索エンジン、Ｇｏｏｇｌｅ（登録商標）検索エンジン、Ｂｉｎｇ（登録商標）検索エンジン、Ｎａｖｅｒ（登録商標）検索エンジン、Ｄａｕｍ（登録商標）検索エンジンなどのように相異なる検索エンジンプロバイダにより各々提供される。
【００５６】
携帯端末１００は、検索が完了すると、Ｓ６１０段階で検索エンジン別に検索の結果を各セクション別に区分して表示する。
例えば、図７のように「コーヒー」に対する検索エンジン別の検索結果（符号（７６−１）〜符号（７６−４））を各セクション別に区分して表示する。
【００５７】
図８は、本開示の第２の実施形態による携帯端末１００における検索機能実行時のユーザインターフェース方法を説明するためのフローチャートであり、図９は、本開示の第２の実施形態による携帯端末１００における検索機能実行時の画面の一例を示す図である。
【００５８】
図８及び図９を参照すると、携帯端末１００は、Ｓ８０２段階で第２のタイプ入力があったか否かを判断する。
例えば、携帯端末１００は、図９のように検索ボックス９０にタップアンドホールド（又はタッチアンドホールド）入力（符号９２）のがあったか否かを判断する。
この時、検索ボックス９０が第１の領域及び第２の領域に区分された場合、タップアンドホールド（又はタッチアンドホールド）入力（符号９２）は第１の領域及び第２の領域のうち何れか一つに入力する。
【００５９】
仮に、タップアンドホールド入力（符号９２）がなされると、携帯端末１００は、Ｓ８０４段階で、検索エンジン選択画面を表示する。
例えば、携帯端末１００は、図９のように複数の検索エンジン９４を含む検索エンジン選択画面を表示する。
複数の検索エンジン９４は、Ｇｏｏｇｌｅ（登録商標）検索エンジン、Ｙａｈｏｏ（登録商標）検索エンジン、Ｂｉｎｇ（登録商標）検索エンジン、Ｎａｖｅｒ（登録商標）検索エンジン、Ｄａｕｍ（登録商標）検索エンジンのうち一部を含むことができる。
この他の検索エンジンをさらに含むことができる。
【００６０】
複数の検索エンジン９４を含む検索エンジン選択画面は、検索エンジンの各々及び検索エンジンを選択できる選択チェックボックスを表示できる。
ユーザは選択チェックボックスをタップ又はタッチなどで選択して所望の検索エンジンを一つ又はそれ以上選択できる。
例えば、図９のように、ユーザは複数の検索エンジンのうちＢｉｎｇ（登録商標）検索エンジン、Ｎａｖｅｒ（登録商標）検索エンジン、Ｄａｕｍ（登録商標）検索エンジンを選択する。
この時、選択された検索エンジンの選択チェックボックスをタップ又はタッチなどで再び選択すると、選択された検索エンジンが非選択状態に変わる。
【００６１】
また、携帯端末１００は、検索エンジン選択画面に“設定”９６を表示できる。
“設定”９６はユーザによる検索エンジン追加要請によって検索エンジンを追加又は削除できるアイテムである。
例えば、携帯端末１００は、ユーザにより“設定”９６が選択されると、図９のように検索エンジンを追加又は削除するための設定画面を表示する。
設定画面には追加又は削除可能な少なくとも一つ以上の検索エンジンプロバイダが表示される。
ユーザは追加したい検索エンジンプロバイダを選択して検索エンジンを追加できる。ユーザは削除したい検索エンジンプロバイダを選択して検索エンジンを削除できる。
【００６２】
携帯端末１００は、ユーザにより検索エンジンが選択されると、Ｓ８０６段階でユーザから選択された検索エンジン保存要請があったか否かを判断する。
例えば、携帯端末１００は、図９のように検索エンジンが選択された状態で“保存”９８が選択されるとユーザから選択された検索エンジン保存要請があったと判断する。
【００６３】
携帯端末１００は、検索エンジン保存要請によってＳ８０８段階で上記選択された検索エンジンを保存する。
携帯端末１００は検索エンジンが保存されると、図９のように検索画面を表示する。
【００６４】
図１０は、本開示の第３の実施形態による携帯端末１００における検索機能の実行時のユーザインターフェース方法を説明するためのフローチャートであり、図１１は、本開示の第３の実施形態による携帯端末１００における検索機能実行時の画面の一例を示す図である。
【００６５】
図１０及び図１１を参照すると、携帯端末１００は、Ｓ１００２段階で第３のタイプ入力があったか否かを判断する。
例えば、携帯端末１００は、図１１のように検索ボックス１１００にスワイプダウン入力（符号１１０２）があったか否かを判断する。この時、検索ボックス１１００が複数の領域を有する場合、複数の領域のうち何れか一つにスワイプダウン入力（符号１１０２）があったか否かを判断する。
【００６６】
仮に、スワイプダウン入力（符号１１０２）がなされると、携帯端末１００は、Ｓ１００４段階で、検索履歴画面を表示する。
例えば、携帯端末１００は、図１１のように既に検索されたキーワード（符号（１１０４−１）〜符号（１１０４−３））を含む検索履歴画面を表示する。
【００６７】
携帯端末１００は、Ｓ１００６段階で検索履歴画面においてキーワードが選択されたか否かを判断する。
例えば、携帯端末１００は、既に検索されたキーワード（符号（１１０４−１）〜符号（１１０４−３））の内、ユーザからのタップ又はタッチ入力（符号１１０６）によってキーワードを選択する。
【００６８】
携帯端末１００は、キーワードが選択されると、Ｓ１００８段階で、選択されたキーワードに対して複数の検索エンジンを利用して検索エンジン別にキーワードに対する検索を実行する。この時、複数の検索エンジンは予め選択されるか、又は設定されるものであり得る。
【００６９】
携帯端末１００は、検索が完了すると、Ｓ１０１０段階で検索エンジン別に検索結果を各セクション別に区分して表示する。
例えば、図１１のようにコーヒーに対する検索エンジン別の検索結果（符号（１１０８−１）〜符号（１１０８−４））を各セクション別に区分して表示する。
【００７０】
図１２は、本開示の第４の実施形態による携帯端末１００における検索機能実行時のユーザインターフェース方法を説明するためのフローチャートであり、図１３は、本開示の第４の実施形態による携帯端末１００における検索機能実行時の画面の一例を示す図である。
【００７１】
図１２及び図１３を参照すると、携帯端末１００は、Ｓ１２０２段階で、第４のタイプ入力があったか否かを判断する。
例えば、携帯端末１００は、図１３のように検索ボックス１３００にマルチスワイプダウン入力（符号１３０２）があったか否かを判定する。
この時、検索ボックス１３００が複数の領域を有する場合、複数の領域の内の何れか一つにマルチスワイプダウン入力（符号１３０２）があったか否かを判定する。
【００７２】
仮に、マルチスワイプダウン入力（符号１３０２）がなされると、携帯端末１００はＳ１２０４段階で、最近の検索キーワードに対して検索する。
この時、携帯端末１００は、最近の検索キーワードに対して複数の検索エンジンを利用して検索エンジン別にキーワードに対する検索を実行する。
検索エンジンは、各々のキーワードに対する検索結果をカテゴリー別に提供する。
【００７３】
携帯端末１００は、Ｓ１２０６段階で、最近の検索キーワードに対するカテゴリー別の検索結果を各セクション別に区分して表示する。
例えば、携帯端末１００は、図１３のように検索結果を第１〜第４のカテゴリー（符号（１３０４−１）〜符号（１３０４−４））によって各セクション別に区分して表示する。
この時、第１〜第４のカテゴリー（符号（１３０４−１）〜符号（１３０４−４））はウェブページ、イメージ、地図、ニュースなどのようなカテゴリーを含むことができる。
また、カテゴリーは、ビデオ、ショッピング、ブログなどのような他のカテゴリーなどを含むことができる。
【００７４】
図１４は、本開示の第５の実施形態による携帯端末１００における検索機能実行時のユーザインターフェース方法を説明するためのフローチャートであり、図１５は、本開示の第５の実施形態による携帯端末１００における検索機能実行時の画面の一例を示す図である。
【００７５】
図１４及び図１５を参照すると、携帯端末１００は、Ｓ１４０２段階で、第５のタイプ入力があったか否かを判断する。
例えば、携帯端末１００は、図１５のように検索ボックス１５００にドラッグ入力（符号１５０２）があったか否かを判断する。
仮に、ドラッグ入力（符号１５０２）がなされると、携帯端末１００は、Ｓ１４０４段階で、最近の検索キーワードに対する検索結果を各セクション別に区分して表示する。
例えば、携帯端末１００は図１５のように最近の第１〜第４のキーワード検索結果（符号（１５０４−１）〜符号（１５０４−４））を各セクション別に区分して表示する。
最近の第１のキーワード検索結果（符号（１５０４−１））は「コーヒー」に対する検索結果であって、最近の第２のキーワード検索結果（符号（１５０４−２））は「セントラルパークイベント」に対する検索結果であって、最近の第３のキーワード検索結果（符号（１５０４−３））は「カレンシー」に対する検索結果であって、最近の第４のキーワード検索結果（符号（１５０４−４））は、「ニューヨークファッションウィーク」に対する検索結果であり得る。
最近の第１〜第４のキーワード検索結果（符号（１５０４−１）〜符号（１５０４−４））は時間順に表示することができる。
上記したような本開示の多様な実施形態によれば、ユーザが携帯端末から多様な入力方式で検索機能を実行し、検索機能の実行結果を多様な画面を通して受信できるため便利である。
【００７６】
本開示の多様な実施形態によるユーザインターフェース方法は、多様なコンピュータ手段を通して実行できるプログラム命令形態で具現され、持続的コンピュータ読み取り可能な媒体に記録することができる。
持続的コンピュータ読み取り可能な媒体は、プログラム命令、データファイル、データ構造などを単独に又は組み合せして含むことができる。
上記媒体に記録されるプログラム命令は、本開示のために特別に設計されて構成されたものでもよくコンピュータソフトウェア分野で当業者に公示され使用可能なものであってもよい。
【００７７】
本開示の多様な実施形態による携帯端末の検索機能実行時のユーザインターフェース方法は、ハードウェア、ソフトウェア又はハードウェア及びソフトウェアの組み合せの形態で実現可能であることは明らかである。
このような任意のソフトウェアは、例えば、削除可能、又は再記録可能の可否に関係なく、ＲＯＭなどのような揮発性又は不揮発性保存装置、あるいは、例えば、ＲＡＭ、メモリーチップ、装置又は集積回路（ＩＣ：Ｉｎｔｅｇｒａｔｅｄ  Ｃｉｒｃｕｉｔ）のようなメモリー、又は例えばＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、磁気ディスク、又は磁気テープのような光学あるいは磁気的に記録可能であると同時に機械（例えばコンピュータ）で読み取り可能な記録媒体に保存され得る。
【００７８】
本開示の多様な実施形態による携帯端末の検索機能実行時のユーザインターフェース方法は、制御部及びメモリーを含むコンピュータ又は携帯端末により具現することができ、メモリーは本開示の多様な実施形態を具現する指示を含むプログラム又はプログラムを保存するに適合した機械で読み取り可能な保存媒体の一例であることが分かる。
したがって、本開示の多様な実施形態は、本明細書の任意の請求項に記載の装置又は方法を具現するためのコードを含むプログラム及びこのようなプログラムを保存する機械（コンピュータなど）で読み取り可能な持続的保存媒体を含む。
また、このようなプログラムは、有線又は無線接続を通じて伝えられる通信信号のような任意の媒体を通じて電子的に伝送でき、本開示はこれと均等なものを適切に含む。
【００７９】
また、該当携帯端末は、有線又は無線で接続するプログラム提供装置から上記プログラムを受信して保存することができる。
プログラム提供装置は、本開示の多様な実施形態によるユーザインターフェース方法を実行するようにする指示を含むプログラムを保存するための持続的メモリと、携帯端末との有線又は無線通信を実行するための通信部と、携帯端末の要請又は自動で該当プログラムを通信部を通じて伝送するよう制御する制御部と、を含むことができる。
【００８０】
上記した本発明は具体的な実施形態を参照して説明されたが、本技術分野の当業者は形態及び詳細で多様な変更が添付された請求項及びこれらと均等な物により定義される本発明の範囲及び思想を逸脱せずになされることが理解できるはずである。
【符号の説明】
【００８１】
３０、７０、９０、１１００、１３００、１５００    検索ボックス
３２    第１の入力領域
３４    第２の入力領域
１００    携帯端末
１１０    制御部
１１１    ＣＰＵ
１１２    ＲＯＭ
１１３    ＲＡＭ
１２０    移動通信モジュール
１３０    サブ通信モジュール
１３１    無線ＬＡＮモジュール
１３２    近距離通信モジュール
１４０    マルチメディアモジュール
１４１    放送通信モジュール
１４１ａ    ＤＭＢアンテナ
１４２    オーディオ再生モジュール
１４３    動画像再生モジュール
１５０    カメラモジュール
１５１    第１のカメラ
１５２    第２のカメラ
１５５    ＧＰＳモジュール
１６０    入出力モジュール
１６１    ボタン
１６１ａ    ホームボタン
１６１ｂ    メニューボタン
１６１ｃ    戻るボタン
１６１ｅ    ボリュームボタン
１６１ｆ    ボリュームアップボタン
１６１ｇ    ボリュームダウンボタン
１６２    マイク
１６３    スピーカ
１６４    振動モーター
１６５    コネクタ
１６６    キーパッド
１６７    イヤホン接続ジャック
１６８    入力ユニット
１７０    センサモジュール
１７０ａ    照度センサ
１７０ｂ    近接センサ
１７５    ストレージモジュール
１８０    電源供給モジュール
１９０    タッチスクリーン
１９１−１〜１９１−３    ショートカットアイコン
１９１−４    メインメニュー切替アイコン
１９２    状態バー
１９５    タッチスクリーンコントローラ
【図１】
0006463740.tif 000002
【図２ａ】
0006463740.tif 000003
【図２ｂ】
0006463740.tif 000004
【図３】
0006463740.tif 000005
【図４】
0006463740.tif 000006
【図５】
0006463740.tif 000007
【図６】
0006463740.tif 000008
【図７】
0006463740.tif 000009
【図８】
0006463740.tif 000010
【図９】
0006463740.tif 000011
【図１０】
0006463740.tif 000012
【図１１】
0006463740.tif 000013
【図１２】
0006463740.tif 000014
【図１３】
0006463740.tif 000015
【図１４】
0006463740.tif 000016
【図１５】
0006463740.tif 000017